(57)【要約】【課題】記録開始までの時間を短縮すると共に、高い信頼性でフォーカスバランスを調整する。【解決手段】光ディスク媒体にデータを読み書きする光ディスク装置であって、レーザ光によって光ディスク媒体にデータを読み書きするピックアップと、前記光ディスク装置の動作を制御する制御部と、を備え、前記制御部は、装着された前記光ディスク媒体が未記録であるかを判定し、前記光ディスク媒体が未記録であると判定された場合、前記光ディスク媒体の所定の論理ブロックアドレスからデータを読み出し、前記所定の論理ブロックアドレスからデータを読み出す際に、フォーカスバランスを調整する。【選択図】図２
2013084326.tif 000002
【特許請求の範囲】
【請求項１】
光ディスク媒体にデータを読み書きする光ディスク装置であって、
レーザ光によって光ディスク媒体にデータを読み書きするピックアップと、前記光ディスク装置の動作を制御する制御部と、を備え、
前記制御部は、
装着された前記光ディスク媒体が未記録であるかを判定し、
前記光ディスク媒体が未記録であると判定された場合、前記光ディスク媒体の所定の論理ブロックアドレスからデータを読み出し、
前記所定の論理ブロックアドレスからデータを読み出す際に、フォーカスバランスを調整することを特徴とする光ディスク装置。
【請求項２】
前記光ディスク装置には前記ホスト計算機が接続されており、
前記の所定の論理ブロックアドレスからのデータの読み出しは、前記ホスト計算機が前記光ディスク装置に装着された光ディスク媒体に記録されたデータの状態を知るためのデータを読み出しであることを特徴とする請求項１に記載の光ディスク装置。
【請求項３】
前記光ディスク装置には前記ホスト計算機が接続されており、
前記の所定の論理ブロックアドレスからのデータの読み出しは、前記光ディスク装置の初期設定が完了し、前記ホスト計算機からの要求が受け付け可能となった後の、最初の読み出し要求によって行われることを特徴とする請求項１に記載の光ディスク装置。
【請求項４】
前記光ディスク装置は、電源投入後の初期設定の途中において、前記光ディスク媒体の所定の論理ブロックアドレスからデータを読み出すことを特徴とする請求項１に記載の光ディスク装置。
【請求項５】
前記の所定の論理ブロックアドレスからのデータの読み出しは、前記光ディスク媒体に設定されたファイルシステムの情報であることを特徴とする請求項１から４のいずれか一つに記載の光ディスク装置。
【請求項６】
光ディスク媒体にデータを読み書きする光ディスク装置の調整方法であって、
前記光ディスク装置は、レーザ光によって光ディスク媒体にデータを読み書きするピックアップと、前記光ディスク装置の動作を制御する制御部と、を有し、
前記方法は、
前記制御部が、装着された前記光ディスク媒体が未記録であるかを判定し、
前記制御部が、前記光ディスク媒体が未記録であると判定された場合、前記光ディスク媒体の所定の論理ブロックアドレスからデータを読み出し、
前記制御部が、前記所定の論理ブロックアドレスからデータを読み出す際に、フォーカスバランスを調整することを特徴とする光ディスク装置の調整方法。
【請求項７】
前記光ディスク装置には前記ホスト計算機が接続されており、
前記の所定の論理ブロックアドレスからのデータの読み出しは、前記ホスト計算機が前記光ディスク装置に装着された光ディスク媒体に記録されたデータの状態を知るためのデータを読み出しであることを特徴とする請求項６に記載の光ディスク装置の調整方法。
【請求項８】
前記光ディスク装置には前記ホスト計算機が接続されており、
前記の所定の論理ブロックアドレスからのデータの読み出しは、前記光ディスク装置の初期設定が完了し、前記ホスト計算機からの要求が受け付け可能となった後の、最初の読み出し要求によって行われることを特徴とする請求項６に記載の光ディスク装置の調整方法。
【請求項９】
前記前記制御部は、電源投入後の初期設定の途中において、前記光ディスク媒体の所定の論理ブロックアドレスからデータを読み出すことを特徴とする請求項６に記載の光ディスク装置の調整方法。
【請求項１０】
前記の所定の論理ブロックアドレスからのデータの読み出しは、前記光ディスク媒体に設定されたファイルシステムの情報であることを特徴とする請求項６から９のいずれか一つに記載の光ディスク装置の調整方法。
【請求項１１】
光ディスク媒体にデータを読み書きする光ディスク装置であって、
レーザ光によって光ディスク媒体にデータを読み書きするピックアップと、前記光ディスク装置の動作を制御する制御部と、を備え、
前記制御部は、
装着された前記光ディスク媒体が未記録であるかを判定し、
前記光ディスク媒体が未記録であると判定された場合、前記光ディスク媒体の所定の論理ブロックアドレスからデータを読み出し、
前記所定の論理ブロックアドレスからデータを読み出す際に、前記光ディスク媒体のチルトを調整することを特徴とする光ディスク装置。
【請求項１２】
前記光ディスク装置には前記ホスト計算機が接続されており、
前記の所定の論理ブロックアドレスからのデータの読み出しは、前記ホスト計算機が前記光ディスク装置に装着された光ディスク媒体に記録されたデータの状態を知るためのデータを読み出しであることを特徴とする請求項１１に記載の光ディスク装置。
【請求項１３】
前記光ディスク装置には前記ホスト計算機が接続されており、
前記の所定の論理ブロックアドレスからのデータの読み出しは、前記光ディスク装置の初期設定が完了し、前記ホスト計算機からの要求が受け付け可能となった後の、最初の読み出し要求によって行われることを特徴とする請求項１１に記載の光ディスク装置。
【請求項１４】
前記光ディスク装置は、電源投入後の初期設定の途中において、前記光ディスク媒体の所定の論理ブロックアドレスからデータを読み出すことを特徴とする請求項１１に記載の光ディスク装置。
【請求項１５】
前記の所定の論理ブロックアドレスからのデータの読み出しは、前記光ディスク媒体に設定されたファイルシステムの情報であることを特徴とする請求項１１から１４のいずれか一つに記載の光ディスク装置。
【発明の詳細な説明】
【技術分野】
【０００１】
本発明は、光ディスク装置に関し、特に、情報を読み書きする際のフォーカスバランスを調整する技術に関する。
【背景技術】
【０００２】
ＣＤ、ＤＶＤ、ＢＤ等の光ディスク媒体に情報を記録する光ディスク装置において、例えば、フォーカスバランスの調整は従来から課題となっている。従来の光ディスク装置では、ディスクに記録されたデータを読み出してフォーカスバランスを調整していた。
【０００３】
また、未記録光ディスク媒体では、フォーカスバランスの調整前にフォーカスバランス調整用のデータをＰＣＡ（Ｐｏｗｅｒ  Ｃａｌｉｂｒａｔｉｏｎ  Ａｒｅａ）に記録し、この記録された管理情報を読み出してフォーカスバランスを調整する方法が提案されている（例えば、特許文献１参照。）。
【先行技術文献】
【特許文献】
【０００４】
【特許文献１】特開２０１０−５５６７８号公報
【発明の開示】
【発明が解決しようとする課題】
【０００５】
前述したように、未記録の光ディスク媒体では、フォーカスバランスのためのデータを所定の領域（例えば、ＰＣＡ）に記録しているので、この記録のための記録パワーの調整（ＯＰＣ）をしなければならず、フォーカスバランスのための時間がかかっていた。
【０００６】
また、複数回フォーカスバランスをする場合、フォーカスバランスを実行する毎にデータを所定の領域（例えば、内周側又は外周側のＰＣＡ）に記録するので、ＰＣＡの記録領域を無駄に使用することになり、後にＰＣＡの記録領域が不足する場合があった。
【０００７】
一方、Ｂｌｕ−ｒａｙ  Ｄｉｓｃ（特に、ＢＤ−ＲＥ系）では、ユーザの利便性を向上するために、未記録ディスク媒体が既に論理フォーマット（ＵＤＦフォーマット）がされた状態で販売されていることが多い。
【０００８】
本発明は、未記録ディスクでも、ライト処理を開始するまでの時間を短縮することができる光ディスク装置を提供することを目的とする。
【課題を解決するための手段】
【０００９】
本発明の代表的な一例を示せば以下の通りである。すなわち、光ディスク媒体にデータを読み書きする光ディスク装置であって、レーザ光によって光ディスク媒体にデータを読み書きするピックアップと、前記光ディスク装置の動作を制御する制御部と、を備え、前記制御部は、装着された前記光ディスク媒体が未記録であるかを判定し、前記光ディスク媒体が未記録であると判定された場合、前記光ディスク媒体の所定の論理ブロックアドレスからデータを読み出し、前記所定の論理ブロックアドレスからデータを読み出す際に、フォーカスバランスを調整する。
【発明の効果】
【００１０】
本発明の実施の形態によると、未記録ディスクでもライト処理を開始するまでの時間を短縮することができる。
【図面の簡単な説明】
【００１１】
【図１】本発明の実施の形態の光ディスク装置の構成を示すブロック図である。
【図２】本発明の実施の形態の記録パワーの制御及びフォーカスバランスの調整の処理のフローチャートである。
【図３】本発明の実施の形態の記録パワー及びフォーカスバランスの調整の処理のタイミングチャートである。
【図４】本発明の実施の形態の光ディスク装置に装着されるＢＤ−Ｒディスクのフォーマットを示す説明図である。
【図５】本発明の実施の形態の光ディスク装置に装着されるＢＤ−ＲＥディスクのフォーマットを示す説明図である。
【発明を実施するための形態】
【００１２】
図１は、本発明の実施の形態の光ディスク装置の構成を示すブロック図である。
【００１３】
本発明の実施形態の光ディスク装置は、ディスクモータ２、光ピックアップ３、フロントモニタ４、温度センサ５、モータ駆動部６、ＲＦ信号生成部７、サーボ制御部８、レーザパワー制御部９、レーザドライバ１０、デコーダ１１、制御部１２、メモリ１３及びエンコーダ１４を有する。
【００１４】
ディスクモータ２は、モータ駆動部６によって駆動され、光ディスク媒体１を回転する。モータ駆動部６は、制御部１２からの指示によってモータの回転（例えば、回転、停止、回転数）を制御する。
【００１５】
光ピックアップ３は、アクチュエータ３１、対物レンズ３２、レーザ３３、受光部、スプリッタ、フロントモニタ４及び温度センサ５を有する。レーザ３３は、記録及び再生のために所定の強度のレーザ光を発生する半導体レーザを有する発光部である。レーザ３３から発光されたレーザ光は対物レンズ３２を介して光ディスク媒体１の記録面（光ディスク面）に照射される。受光部は、対物レンズ３２を介し光ディスク媒体１の記録面で反射したレーザ光を受け、受光した反射光を電気信号に変換し、変換された電気信号を出力する。対物レンズ３２は、アクチュエータ３１によって駆動され、光ディスク面上にレーザ光が合焦するように調整される。アクチュエータ３１は、サーボ制御部８によって駆動される。
【００１６】
レーザ３３が発生したレーザ光はスプリッタで分離され、フロントモニタ４に導かれる。フロントモニタ４は、スプリッタで分離されたレーザ光によって、レーザ光のパワーを監視する。温度センサ５は、光ピックアップ３の温度を検出する。
【００１７】
ＲＦ信号生成部７は、光ピックアップ３からの信号のアナログ処理（増幅、復調等）をする。
【００１８】
サーボ制御部８は、フォーカスサーボ、トラッキングサーボ、スライドサーボを制御する。すなわち、フォーカスサーボは、アクチュエータ３１を駆動することによって、レーザ光が光ディスク面上にレーザ光が合焦するように対物レンズ３２を制御する。トラッキングサーボは、光ピックアップ３が光ディスク媒体１のトラックに追従するように制御する。スライドサーボは、光ピックアップを所定の位置に動かし、その位置を保つように制御する。
【００１９】
レーザパワー制御部９は、光ディスク媒体１に予め記録されたレーザ出力、又は、ＯＰＣ（Ｏｐｔｉｍｕｍ  Ｐｏｗｅｒ  Ｃｏｎｔｒｏｌ）によって決定されたレーザ出力に従って、レーザ光の出力強度を制御する。レーザドライバ１０は、レーザ３３を駆動するドライバ回路である。レーザパワー制御部９は、レーザドライバ１０を制御する。
【００２０】
デコーダ１１は、光ピックアップ３からの信号を、ＲＦ信号、トラッキングエラー信号、フォーカスエラー信号等として出力する。エンコーダ１４は、光ディスク媒体１に書き込むデータを生成する。
【００２１】
制御部（マイコン）１２は、光ディスク装置の動作を制御する。例えば、レーザ３３から出力されるレーザ光の強度を決めるＯＰＣ処理、レーザ光が光ディスク面上にレーザ光が合焦するように対物レンズ３２の位置を決めるフォーカスバランス調整処理、記録動作中のレーザ光の出力の制御処理をする。メモリ１３は、制御部１２によって実行されるプログラム及びプログラムの実行に必要なデータを格納する。
【００２２】
光ディスク装置は、インターフェース（図示省略）を介して、ホスト計算機に接続される。
【００２３】
図２は、本発明の実施の形態の記録パワー及びフォーカスバランスの調整の処理のフローチャートである。
【００２４】
まず、光ディスク装置に電源が供給されると、光ディスク装置は、各種通信パラメータの設定などの初期設定の後、ホスト計算機からのコマンドを受け付けられる状態となり、レディコマンドをホスト計算機に送信する。
【００２５】
その後、制御部１２は、光ディスク媒体が装着されたことを検出すると、光ディスク媒体が装着されたことをホスト計算機に通知する。
【００２６】
ホスト計算機は、光ディスク媒体からデータを読み出す前に、装着された光ディスク媒体のデータ形式を知るために、ファイルシステムの情報を読み出すコマンドを送る。これは、ファイルシステム情報は、ホスト計算機が光ディスク媒体に記録されたデータを読み出すため、すなわち、光ディスク媒体に記録されたデータの状態を知るために必要な情報であり、光ディスク媒体からデータを読み出そうとするホスト計算機が、レディコマンドを受信した後、通常、最初に送信する読み出し要求コマンドである。
【００２７】
まず、光ディスク媒体が装着されると、制御部１２は、サーボ制御部８に指示し、光ピックアップ３を初期位置（例えば、内周側の端部等）に移動させた後、光ピックアップ３のレーザ３３を点灯する。そして、管理領域（例えばＤＭＡ）に記録された管理情報を読み出して、装着されたディスクが未記録ディスク（新品のディスク）であるか否かを判定する（Ｓ１０１）。例えば、記録済ディスクのＤＭＡには最終記録位置が記録されているので、ＤＭＡから最終記録位置を読み出すことができれば、記録済ディスクであると判定することができる。また、Ｃｏｎｔｒｏｌ  Ｄａｔａ、ＰＡＣ（図４参照）に記録されたデータによっても判定することができる。
【００２８】
その結果、記録済ディスクであると判定された場合に、既に記録されているデータを用いてフォーカスバランスを調整する（Ｓ１０８）。このフォーカスバランスの調整は、データ領域に記録されているデータを読み出すことによっても、以前のフォーカスバランスを実行する際に所定の領域に記録されたデータを読み出すことによっても、内周部又は外周部に記録された管理情報を読み出すことによってもよい。その後、ステップＳ１０９に進み、記録パワーの調整（ＯＰＣ）を行う。
【００２９】
記録されたデータを用いたフォーカスバランスの調整は、例えば、アクチュエータを動作させ、対物レンズの焦点距離を変化させながらデータ（又は、ＲＦ）を読み出し、最適な読み出し条件をフォーカスバランスに設定する。例えば、出力されるトラッキング信号が最大値が得られるレンズ位置を、この光ディスクに対する最適なフォーカスバランスに設定する。また、読み出されたデータのジッタ（又は、モジュレーション等の他のパラメータを用いてもよい）の最適値を用いてフォーカスバランスを設定してもよい。
【００３０】
一方、未記録ディスクであると判定された場合、ファイルシステムの情報が記録されているか否かを判定する（Ｓ１０２）。例えば、特定の領域に特定のデータが記録されているかによって判定することができる。すなわち、光ディスク媒体には、ＵＤＦによるフォーマットの際に必ず記録される領域が決まっているので、この領域にデータが記録されているかによって、光ディスク媒体が記録済みかを判定することができる。具体的には、ＵＤＦによるフォーマット済みの光ディスク媒体には、光ディスク媒体の内周側（例えば、論理ブロックアドレス０ｘ１０〜０ｘ１００）にファイルシステムの情報が記録されている。
【００３１】
その結果、ファイルシステムの情報が記録されている未記録ディスクであると判定された場合、ファイルシステムの情報を読み出してフォーカスバランスを調整する（Ｓ１０３）。フォーカスバランスの調整の具体的方法は、ステップＳ１０８にて前述した方法と同じである。その後、ステップＳ１０９に進み、記録パワーの調整（ＯＰＣ）を行う。
【００３２】
なお、ファイルシステムの情報ではなく、ＵＤＦフォーマットの実行によって記録される他の情報（例えば、Ｐｒｅ  Ｗｒｉｔｅ  Ａｒｅａ、Ｃｏｎｔｒｏｌ  Ｄａｔａ、ＤＭＡなどに記録される情報）を用いてもよい。また、ＵＤＦフォーマット済みの光ディスク媒体に記録された他の情報（例えば、所定パターンの信号）を読み出すことによって、得られたＲＦ信号を用いてもよい。さらに、データが記録されている領域であれば、データの読み出し品質の指標（例えば、ＰＩ  Ｅｒｒｏｒ、ＳＥＲ、Ｊｉｔｔｅｒなど）に基づいてフォーカスバランスを調整することもでき、さらに安定したフォーカスバランスの調整ができる。
【００３３】
一方、ファイルシステム情報が記録されていない未記録ディスクであると判定された場合、内周又は外周のＰＣＡ（Ｐｏｗｅｒ  Ｃａｌｉｂｒａｔｉｏｎ  Ａｒｅａ）を用いて、記録パワーの仮調整（Ｐｒｅ  ＯＰＣ）を行う（Ｓ１０４）。具体的には、記録パワー（レーザ出力）を変化させたレーザ光を光ディスク媒体１の記録面に照射し、所定のデータ（記録マーク）を光ディスク媒体１のＰＣＡの最終記録位置（次にＯＰＣのためのデータを書き込むべきアドレス）に記録する。なお、仮ＯＰＣ時のフォーカスバランスの設定は、光ディスク装置の製造時に調整された値（又は、ファームウェアによって指定されるＤｅｆａｕｌｔ値）を使用するとよい。そして、記録されたデータを読み出して、読み出されたデータのβ値、ジッタ、エラー率等を測定することによって、適切なレーザ光の記録パワーを仮に設定する。なお、ステップＳ１０４におけるＯＰＣは、ステップＳ１０６でフォーカスバランスを調整するためのレーザパワーの仮の調整である。
【００３４】
その後、ステップＳ１０４にて仮に設定された記録パワーで、ＰＣＡの最終記録位置にデータを記録する（Ｓ１０５）。このデータは、ステップＳ１０４でフォーカスバランスを調整する際に読み出すためのものなので、任意のデータ、例えば連続した”０”のデータでよい。なお、ＰＣＡにＯＰＣ用のデータを記録する際に、フォーカスバランスは調整されていないので、フォーカスバランスの中心値でデータを書き込めばよい。
【００３５】
その後、ステップＳ１０４にて書き込まれたデータを用いてフォーカスバランスを調整する（Ｓ１０６）。フォーカスバランスの調整の具体的方法は、ステップＳ１０８にて前述した方法と同じである。
【００３６】
その後、フォーカスバランスを調整するためのデータが書き込まれた（又は、書き込むことができる）アドレス等の情報をメモリに保存する。これらの情報は、Ｄｉｓｃの管理情報のリザーブ領域等を利用して、Ｄｉｓｃ上に残すことができ、Ｄｉｓｃの管理情報の更新の際にデータを付加すればよく、ステップＳ１０７にて実際にＤｉｓｃ上に記録する必要はない。
【００３７】
その後、設定されたフォーカスバランスを用いて、記録パワーの調整（ＯＰＣ）を行う（Ｓ１０９）。
【００３８】
図２において、記録パワー及びフォーカスバランスを調整する処理は、ホスト計算機からファイルシステムの情報を読み出すコマンドが送信されたことを契機に実行されるものとして説明したが、光ディスク装置のセットアップ中か、記録開始要求受信時に実行されてもよい。
【００３９】
例えば、光ディスク装置は、装着された光ディスク媒体がフォーマット済みであるかを、セットアップ中に判定するために、ファイルシステムの情報を読み出す。そして、ファイルシステムの情報が記録されていれば、ＵＤＦフォーマット済みであると判定し、前述した記録パワー及びフォーカスバランスを調整する処理が実行される。
【００４０】
また、前述のようにセットアップ中にＵＤＦフォーマット済みかを判定し、記録開始要求受信時に、前述した記録パワー及びフォーカスバランスを調整する処理が実行される。
【００４１】
図３は、本発明の実施の形態の記録パワー及びフォーカスバランスを調整する処理のタイミングチャートである。
【００４２】
このタイミングチャートに従って、未記録ディスクにおける、従来の記録パワー及びフォーカスバランスを調整する処理（図３（Ａ））と、本発明による記録パワー及びフォーカスバランスを調整する処理（図３（Ｂ））との相違点について説明する。
【００４３】
図３（Ａ）に示すように、従来の方法では、光ディスク媒体が装着されると、ファイルシステムに記録された情報を読み出して、装着された未記録ディスクがＵＤＦフォーマット済みか否かを判定する（Ｓ１０２）。例えば、光ディスク媒体の所定の論理ブロックアドレス（例えば論理アドレス０ｘ１０〜０ｘ１００）に特定のデータが記録されているかによって、ＵＤＦフォーマット済みディスクであるかを判定することができる。
【００４４】
ＵＤＦフォーマットがされている光ディスク媒体であっても、データが書き込まれていないと判定された場合、例えば、内周のＰＣＡを用いて、記録パワーの仮調整（Ｐｒｅ  ＯＰＣ）を行う（Ｓ１０４）。その後、仮調整された記録パワーで、ＰＣＡの最終記録位置にデータを記録して、調整領域を作成する（Ｓ１０５）。そして、調整領域に書き込まれたデータを用いてフォーカスバランスを調整し（Ｓ１０６）、調整されたフォーカスバランスを用いて、記録パワーの調整（ＯＰＣ）を行う（Ｓ１０９）。
【００４５】
その後、ホスト計算機から要求されたデータを光ディスク媒体に書き込む。
【００４６】
一方、本発明の実施形態の方法では、図３（Ｂ）に示すように、光ディスク媒体が装着されると、ファイルシステムに記録された情報を読み出して、装着されたディスクがＵＤＦフォーマット済みの光ディスク媒体か否かを判定する（Ｓ１０２）。
【００４７】
ＵＤＦフォーマットがされている光ディスク媒体であり、データが書き込まれていないと判定された場合、ファイルシステム情報を読み出してフォーカスバランスを調整し（Ｓ１０３）、調整されたフォーカスバランスを用いて、記録パワーの調整（ＯＰＣ）を行う（Ｓ１０９）。
【００４８】
その後、ホスト計算機から要求されたデータを光ディスク媒体に書き込む。
【００４９】
図４は、本発明の実施の形態の光ディスク装置に装着されるＢＤ−Ｒディスクのフォーマットを示す説明図である。
【００５０】
ＢＤ−Ｒディスクには、内周からリードイン領域５１、データ記録領域５２及びリードアウト領域５３が設けられている。
【００５１】
ファイルシステムのデータ５４は、データ記録領域５２の内周側（例えば、論理ブロックアドレス０ｘ１０〜０ｘ１００）に記録される。前述したように、ＵＤＦフォーマット済みの光ディスク媒体では、ファイルシステムのデータが記録されている。
【００５２】
また、論理フォーマット済みのＢＤ−Ｒディスクでは、リードイン領域５１内のＰｒｅ  Ｗｒｉｔｅ  Ａｒｅａ５５にデータが記録されている。
【００５３】
このため、光ディスク装置に装着された光ディスクがＢＤ−Ｒディスクである場合、ステップＳ１０２で内周側（例えば、Ｐｒｅ  Ｗｒｉｔｅ  Ａｒｅａ５５のデータ）又は外周側の管理情報を読み出し、読み出されたデータを用いてフォーカスバランスを調整してもよい（Ｓ１０３）。
【００５４】
図５は、本発明の実施の形態の光ディスク装置に装着されるＢＤ−ＲＥディスクのフォーマットを示す説明図である。
【００５５】
ＢＤ−ＲＥディスクには、内周からリードイン領域５１、データ記録領域５２及びリードアウト領域５３が設けられている。
【００５６】
ファイルシステムのデータ５４は、データ記録領域５２の内周側（例えば、論理ブロックアドレス０ｘ１０〜０ｘ１００）に記録される。前述したように、ＵＤＦフォーマット済みの光ディスク媒体では、当該光ディスク媒体のファイルシステムの仕様が定まっており、ファイルシステムのデータが記録されている。
【００５７】
また、論理フォーマット済みのＢＤ−ＲＥディスクでは、リードイン領域５１内のＣｏｎｔｒｏｌ  Ｄａｔａ領域５６、５７、ＰＡＣ領域６０、６１、ＤＭＡ領域６２、６３、及びリードアウト領域５３内のＣｏｎｔｒｏｌ  Ｄａｔａ領域５８、５９、ＤＭＡ領域６４、６５にデータが記録されている。
【００５８】
このため、光ディスク装置に光ディスク媒体が装着された後、装着された光ディスクがＢＤ−ＲＥディスクである場合、ステップＳ１０２でＣｏｎｔｒｏｌ  Ｄａｔａ領域、ＰＡＣ領域、ＤＭＡ領域のいずれかの領域のデータを読み出し、いずれかの領域でフォーカスバランスを調整してもよい（Ｓ１０３）。
【００５９】
以上、本発明の実施形態について、ファイルシステムの情報を用いて、フォーカスバランスを設定する例について説明したが、読み出したファイルシステムの情報を用いてチルト調整をしてもよい。
【００６０】
以上説明したように、本発明の実施形態によると、未記録ディスクにおいて、ファイルシステム情報を用いてフォーカスバランスを調整するので、ＰＣＡの記録領域を浪費することなくフォーカスバランスの調整をすることができる。また、フォーカスバランスを高い信頼性で調整できる。これは、ファイルシステム情報は、ホスト計算機から必ず読み出しが要求される領域であるため、ホスト計算機からのファイルシステム情報の読み出し要求に対応して、特定の論理ブロックアドレスのデータ（ファイルシステム情報）を用いてフォーカスバランスを調整することが効率がよいからである。
【００６１】
また、フォーカスバランスのためのデータを書き込む未記録領域をサーチして、フォーカスバランスのためにデータを書き込む必要がないので、ライト処理を開始するまでの時間を短縮することができる。
【００６２】
さらに、ファイルシステム情報には、光ディスク媒体に記録されたデータの形式の情報が記載されており、ファイルシステム情報が読み出せなければ、光ディスク媒体に記録されたデータを正しく読み出すことができない。このため、ファイルシステム情報を用いてフォーカスバランスを調整することによって、高い信頼性でフォーカスバランスを調整できる。すなわち、光ディスク媒体の他の管理情報を用いてフォーカスバランスを調整することと比較して、ファイルシステム情報を確実に読み出せる条件に光ディスク装置を設定することができる。
【符号の説明】
【００６３】
１  光ディスク
３  光ピックアップ
３１  アクチュエータ
３２  対物レンズ
３３  レーザ
９  レーザパワー制御部
１０  レーザドライバ
１２  制御部
【図１】
2013084326.tif 000003
【図２】
2013084326.tif 000004
【図３】
2013084326.tif 000005
【図４】
2013084326.tif 000006
【図５】
2013084326.tif 000007